(57)【要約】      （修正有）【課題】組立がより利便な直管形のチューブに取り付けられる口金構造及び灯具を提供する。【解決手段】口金構造は、第１口金と第２口金とを有する。第１口金は、第１ハウジング２１０と、駆動部材と、赤外線感知部材とを備え、第１ハウジングは、一体型筒状を呈し、チューブ１００に向かって開口する第１内腔２１１を備え、チューブの一端に外挿され、駆動部材は、第１内腔に内蔵され、赤外線感知部材は、赤外線感知モジュール２３１とレンズ２３２を含み、第１ハウジングの外周面に取り付けられる。第２口金は、一体型筒状を呈する第２ハウジング３１０を備え、第２ハウジングは、チューブに向かって開口する第２内腔３１１を備え、チューブの第１口金から離間する他端に外挿される。【選択図】図３
0003231317.tif 000002
【実用新案登録請求の範囲】
【請求項１】
直管形のチューブに取り付けられる口金構造であって、
第１口金と第２口金とを有し、
前記第１口金は、第１ハウジングと、駆動部材と、赤外線感知部材とを備え、
前記第１ハウジングは、一体型筒状を呈し、前記チューブに向かって開口する第１内腔を備え、前記チューブの一端に外挿され、
前記駆動部材は、前記第１内腔に内蔵され、
前記赤外線感知部材は、前記第１ハウジングの外周面に取り付けられ、
前記第２口金は、一体型筒状を呈する第２ハウジングを備え、
前記第２ハウジングは、前記チューブに向かって開口する第２内腔を備え、前記チューブの前記第１口金から離間する他端に外挿される
ことを特徴とする口金構造。
【請求項２】
前記第１口金の外周面に取付溝が凹設され、前記赤外線感知部材が前記取付溝に着脱可能に固定されることを特徴とする請求項１に記載の口金構造。
【請求項３】
前記赤外線感知部材は、前記取付溝に内蔵される赤外線感知モジュールと、前記赤外線感知モジュールに覆設されるとともに前記取付溝の溝底と接続されるレンズとを備えることを特徴とする請求項２に記載の口金構造。
【請求項４】
前記取付溝の溝底の中央部分が凹んで位置制限嵌合溝が形成され、前記赤外線感知モジュールは、前記位置制限嵌合溝に嵌設され、前記位置制限嵌合溝の溝底に前記第１内腔と連通する貫通孔が設けられることを特徴とする請求項３に記載の口金構造。
【請求項５】
前記取付溝の溝底且つ前記赤外線感知モジュールの周りに、いくつかの挿入孔が設けられ、前記取付溝の溝底に対向する前記レンズの底面に、前記挿入孔に挿入可能な挿入ピンが設けられることを特徴とする請求項３に記載の口金構造。
【請求項６】
前記第１ハウジングの前記チューブから離間する端の端面に脱型孔が設けられ、前記脱型孔にカバー板が着脱可能に覆設されることを特徴とする請求項１に記載の口金構造。
【請求項７】
前記カバー板は、板体と、挿着フランジと、位置制限溝と、係合部とを備え、
前記挿着フランジは、前記板体の裏面の一方のエッジから前記チューブに向かって延出するように形成され、
前記位置制限溝は、前記板体の裏面における前記挿着フランジと反対する他方のエッジに形成され、
前記脱型孔の孔壁に、前記位置制限溝と当接する位置制限ブロックが形成され、
前記係合部は、前記位置制限溝に、前記チューブに向かって延出するように設けられ、
前記係合部のフックは、前記脱型孔の孔縁の内側で係合される
ことを特徴とする請求項６に記載の口金構造。
【請求項８】
前記第１内腔の内壁に第１位置制限部が設けられ、前記第２内腔の内壁に第２位置制限部が設けられ、
前記チューブの両端の端面は、それぞれ前記第１位置制限部と前記第２位置制限部と当接する
ことを特徴とする請求項１〜７のいずれか１項に記載の口金構造。
【請求項９】
チューブと、請求項１〜８のいずれか１項に記載の口金構造とを備え、前記第１口金と前記第２口金は、それぞれ前記チューブの両端に外挿されることを特徴とする灯具。
【請求項１０】
一端が前記駆動部材に接続され、前記チューブに内蔵される長尺状の光源板をさらに有することを特徴とする請求項９に記載の灯具。
【考案の詳細な説明】
【技術分野】
【０００１】
本出願は、灯具の技術分野に属し、具体的には、口金構造及び灯具に関する。
【背景技術】
【０００２】
現在、市販の直管形灯具、例えばＬＥＤＴ８チューブライトは、赤外線感知の要求により、赤外線感知モジュールを取り付ける必要があるため、通常、半分アルミニウム製且つ半分プラスチック製の構成を採用する。また、組み立てるためには、通常、口金が中央から上下２つの部分に分けられる。このような構成では、口金の中央に結合線が形成されるため、外観を影響するのみならず、口金の製造プロセスが複雑になり、コストが高くなり、組み立てが面倒になってしまう。
【考案の概要】
【考案が解決しようとする課題】
【０００３】
本出願の実施例は、従来技術における口金プロセス、構成が複雑であり、組み立てが面倒になるという技術課題を解決するための口金構造を提供することを目的とする。
【課題を解決するための手段】
【０００４】
上記の目的を実現するためには、本出願の技術案は、直管形のチューブに取り付けられる口金構造を提供する。
【０００５】
口金構造は、第１口金と第２口金とを有し、前記第１口金は、第１ハウジングと、駆動部材と、赤外線感知部材とを備え、前記第１ハウジングは、一体型筒状を呈し、前記チューブに向かって開口する第１内腔を備え、前記チューブの一端に外挿され、前記駆動部材は、前記第１内腔に内蔵され、前記赤外線感知部材は、前記第１ハウジングの外周面に取り付けられ、前記第２口金は、一体型筒状を呈する第２ハウジングを備え、前記第２ハウジングは、前記チューブに向かって開口する第２内腔を備え、前記チューブの前記第１口金から離間する他端に外挿される。
【０００６】
好ましくは、前記第１口金の外周面には取付溝が凹設され、前記赤外線感知部材が前記取付溝に着脱可能に固定される。
【０００７】
好ましくは、前記赤外線感知部材は、前記取付溝に内蔵される赤外線感知モジュールと、前記赤外線感知モジュールに覆設されるとともに前記取付溝の溝底と接続されるレンズとを備える。
【０００８】
好ましくは、前記取付溝の溝底の中央部分が凹んで位置制限嵌合溝が形成され、前記赤外線感知モジュールは、前記位置制限嵌合溝に嵌設され、前記位置制限嵌合溝の溝底に前記第１内腔と連通する貫通孔が設けられる。
【０００９】
好ましくは、前記取付溝の溝底且つ前記赤外線感知モジュールの周りに、いくつかの挿入孔が設けられ、前記取付溝の溝底に対向する前記レンズの底面に、前記挿入孔に挿入可能な挿入ピンが設けられる。
【００１０】
好ましくは、前記第１ハウジングの前記チューブから離間する端の端面に脱型孔が設けられ、前記脱型孔にカバー板が着脱可能に覆設される。
【００１１】
好ましくは、前記カバー板は、板体と、挿着フランジと、位置制限溝と、係合部とを備え、前記挿着フランジは、前記板体の裏面の一方のエッジから前記チューブに向かって延出するように形成され、前記位置制限溝は、前記板体の裏面における前記挿着フランジと反対する他方のエッジに形成され、前記脱型孔の孔壁に、前記位置制限溝と当接する位置制限ブロックが形成され、前記係合部は、前記位置制限溝に、前記チューブに向かって延出するように設けられ、前記係合部のフックは、前記脱型孔の孔の縁内側に係合される。
【００１２】
好ましくは、前記第１内腔の内壁に第１位置制限部が設けられ、前記第２内腔の内壁に第２位置制限部が設けられ、前記チューブの両端の端面は、それぞれ前記第１位置制限部と前記第２位置制限部と当接する。
【００１３】
本出願は、チューブと、上記のような口金構造とを備えた灯具をさらに提出し、前記第１口金と前記第２口金は、それぞれ前記チューブの両端に外挿される。
【００１４】
好ましくは、前記灯具は、一端が前記駆動部材に接続され、前記チューブに内蔵される長尺状の光源板をさらに備える。
【考案の効果】
【００１５】
上記の構成によって、本出願の技術案において、第１口金の第１ハウジング及び第２口金の第２ハウジングは、いずれも一体型筒状の構成を採用するため、従来の上下別体に構成された口金と比べて、外観上、中央の結合線を除去することができ、見栄えがよりよくなり、ユーザーエクスペリエンスがよりよくなる。また、一体成形で製造され、取り付ける際に、２つの口金をチューブの両端に外挿されるとともに、赤外線感知部材を直接に外部から第１ハウジングの外周面に組み立てればよいので、その構成がシンプルになり、製造プロセス及び組立は非常に簡単で利便である。したがって、組立装置、組立時間を増やすことなく、生産ラインによる組立を実現できるため、プロセスコストを低減することができる。
【００１６】
本出願の実施例における技術案をより明瞭に説明するため、以下、実施例又は従来技術の説明に必要な図面を簡単に説明する。説明する図面は、本出願の一部の実施例を示すものにすぎず、当業者が、発明能力を用いなくても、これらの図面に基づいて他の図面を得ることが可能である。
【図面の簡単な説明】
【００１７】
【図１】本出願の実施例による灯具の構成模式図である。
【図２】本出願の実施例による灯具の分解図である。
【図３】本出願の実施例による灯具の断面構成模式図である。
【図４】本出願の実施例による口金構造における第１ハウジングの構成模式図である。
【図５】本出願の実施例による口金構造におけるカバー板の構成模式図である。
【考案を実施するための形態】
【００１８】
本出願の目的、技術案及び利点をより明瞭にするため、以下、図面及び実施例を用いて、本考案をさらに詳細に説明する。ここで説明する具体的な実施例は、本出願を解釈するためのものにすぎず、本出願を限定するものではないと理解すべきである。
【００１９】
なお、１つの素子がもう１つの素子に固定、又は設置されると記載される場合、その素子がもう１つの素子に直接に配置されてもよく、間接に配置されてもよい。１つの素子がもう１つの素子に接続されると記載される場合、その素子がもう１つの素子に直接に接続されてもよく、間接に接続されてもよい。
【００２０】
なお、本出願の実施例における「左」、「右」、「上」及び「下」などの用語は，相対概念、又は製品の正常使用状態に基づくものにすぎず、限定的なものではない。
【００２１】
以下、本出願の実施例を詳細に説明する。前記実施例が図面に例示され、その内、同様または類似の符号について、終始同様又は類似の素子或いは同様又は類似の機能を有する素子を表している。下記の、図面を参照しながら説明される実施例は、例示的なものであり、本発明を説明するためのものであり、本発明を制限するものではない。
【００２２】
「長さ」、「幅」、「上」、「下」、「前」、「後」、「左」、「右」、「鉛直」、「水平」、「頂」、「底」「内」、「外」等の用語で表された方向又は位置関係は、図面に基づくものであり、本出願を便宜及び簡略に説明するためのものにすぎず、該当装置又は素子が、必ず定められた方向を有したり、定められた方向に構成されたり、操作されたり、することを明示又は暗示するものではないため、本出願を限定するものではないと理解すべきである。
【００２３】
また、用語である「第１」、「第２」は、説明するためのものにすぎず、相対重要性を明示又は暗示したり、技術的特徴の数を暗示したりするものではないと理解すべきである。これにより、「第１」、「第２」に限定される特徴は１つ又は複数の当該特徴を含むことを明示又は暗示することができる。本出願の説明において、別途の明確、具体的な限定がない限り、「複数」は、２つ以上のことを意味する。
【００２４】
本出願の説明において、明確な定義と限定がない限り、「取付」、「連係」、「接続」、「固定」などの用語を、広義的に理解すべきである。例えば、固定接続でもよいし、着脱可能な接続でもよいし、一体的な接続でもよい。そして、機械的な接続でもよいし、電気的な接続でもよい。また、直接に接続してもよいし、中間物を介して間接に接続してもよいし、２つの素子の内部が連通し又は２つの素子が相互に作用してもよい。当業者は、本出願における上記用語の具体的な意味を、具体的な状況に応じて理解することが可能である。
【００２５】
本出願の実施例は、口金構造及び当該口金構造を有する灯具を提供する。
【００２６】
図１〜図３に示すように、一実施例において、該口金構造は、直管形のチューブ（ランプチューブ）１００に取り付けられ、第１口金２００と第２口金３００とを有する。第１口金２００は、第１ハウジング２１０と、駆動部材と、赤外線感知部材２３０とを備える。第１ハウジング２１０は、一体型筒状を呈し、チューブ１００に向かって開口する第１内腔２１１を備え、チューブ１００の一端に外挿される。駆動部材は、第１内腔２１１に内蔵される。赤外線感知部材２３０は、第１ハウジング２１０の外周面に取り付けられる。第２口金３００は、一体型筒状を呈する第２ハウジング３１０を備える。第２ハウジング３１０は、チューブ１００に向かって開口する第２内腔３１１を備え、チューブ１００の第１口金２００から離間する他端に外挿される。
【００２７】
なお、本実用新案の口金構造は、主にＬＥＤＴ８チューブライトなどのような灯具に適用しているが、対応する構成を備える他のタイプの灯具も本出願の技術案を採用することができる。具体的には、灯具は、上記のチューブ１００及び口金構造のほか、チューブ１００に内蔵される長尺状の光源板４００をさらに備える。光源板４００には、間隔をあけて複数のＬＥＤ光源４１０が設置される。チューブ１００と光源板４００との延在方向は一致し、長さもほぼ同じである。第１口金２００は、駆動部材が内蔵されるため駆動口金になり、第２口金３００は、非駆動口金である。２つの口金のチューブ１００から離間する端の端面のそれぞれに、２つのピン５００が突出して設置される。光源板４００の第１口金２００に向かう端に、端子台４２０が設置させる。駆動部材は、入力端が対応するピン５００と電気的接続され、他端が端子台４２０と接続される駆動板２２０を備える。具体的に、チューブ１００は、円管状を呈し、第１ハウジング２１０及び第２ハウジング３１０も円筒状を呈する。チューブ１００の外径は、第１内腔２１１及び第２内腔３１１の開口の径よりもわずかに小さい。第１ハウジング２１０及び第２ハウジング３１０は、いずれもチューブ１００の両端の外周面に外挿されることが可能である。また、チューブ１００が、ガラス管からなり、第１ハウジング２１０及び第２ハウジング３１０が、プラスチック材料で一体射出成形されてもよい。
【００２８】
上記の構成によって、本実施例において、第１口金２００の第１ハウジング２１０及び第２口金３００の第２ハウジング３１０は、いずれも一体型筒状の構成を採用するため、従来の上下別体に構成された口金と比べて、外観上、中央の結合線を除去することができ、見栄えがよりよくなり、ユーザーエクスペリエンスがよりよくなる。また、一体成形で製造され、取り付ける際に、２つの口金をチューブ１００の両端に外挿するとともに、赤外線感知部材２３０を直接に外部から第１ハウジング２１０の外周面に組み立てればよいので、その構成がシンプルになり、製造プロセス及び組立が非常に簡単で利便である。したがって、組立装置、組立時間を増やすことなく、生産ラインによる組立を実現できるため、プロセスコストを低減することができる。
【００２９】
図２〜図４に示すように、具体的に、本実施例において、第１口金２００の外周面には取付溝２１２が凹設される。赤外線感知部材２３０は、取付溝２１２に着脱可能に固定される。つまり、当該取付溝２１２は、第１口金２００における赤外線感知部材配置領域である。その他の実施例において、取付溝２１２を設けることなく、直接に赤外線感知部材２３０を第１ハウジング２１０に取り付けてもよい。しかし、本実施例において、チューブ１００は通常、円管状を呈し、それと対応して第１ハウジング２１０も通常、円筒状を呈するため、取付溝２１２が設けられることにより、比較的に平坦な取付面が得られ、赤外線感知部材２３０の取付の安定性及び組立の便利性に寄与できる。ここで、発光、発熱による悪影響を避けるためには、赤外線感知部材２３０を第１ハウジング２１０の第２口金３００から離間する側の箇所に設けることが好ましい。
【００３０】
さらに、図２及び図３に示すように、本実施例において、赤外線感知部材２３０は、取付溝２１２に内蔵される赤外線感知モジュール２３１と、赤外線感知モジュール２３１に覆設されるとともに取付溝２１２の溝底と接続されるレンズ２３２とを備える。実際に取り付ける場合に、赤外線感知モジュール２３１を直接に外部から取付溝２１２に配置することができ、レンズ２３２も外部から組み立てることができるので、その組立が非常に利便である。
【００３１】
具体的に、図３に示すように、取付溝２１２の溝底の中央部分が窪み、赤外線感知モジュール２３１が嵌設される位置制限嵌合溝２１３が形成される。位置制限嵌合溝２１３の溝底に、第１内腔２１１と連通する貫通孔２１４が設けられる。該貫通孔２１４は、赤外線感知モジュール２３１と駆動板２２０とを電気的接続するためのものである。また、赤外線感知モジュール２３１が位置制限嵌合溝２１３から脱落しないように赤外線感知モジュール２３１の接続強度を強化するために、赤外線感知モジュール２３１の底面に接着剤を塗ることなどによって強固な接着を実施する。その他の実施例において、凹んだ溝を設けなくてもよいが、本実施例の配置により、赤外線感知部材２３０が突出しすぎることを防ぐことができるので、レンズ２３２の取付に有利であり、スペースを十分に利用できる。
【００３２】
さらに、図２〜図４に示すように、取付溝２１２の溝底且つ赤外線感知モジュール２３１の周りに、いくつかの挿入孔２１５が設けられ、取付溝２１２の溝底に対向するレンズ２３２の底面に、挿入孔２１５に挿入可能な挿入ピン２３３が設けられる。具体的に、本実施例において、挿入孔２１５は、３つであり、周向に沿って間隔をあけて設けられる。なお、その数及び配置は、実際の要求に応じて設計されてもよい。当該挿入孔２１５がレンズ２３２の固定孔であると理解できる。レンズ２３２の挿入ピン２３３を挿入孔２１５に挿入すれば、レンズ２３２を外部から組み立てて固定することができる。本実施例の挿設のほか、係合、螺合などのその他の着脱可能な方式でレンズ２３２を固定することができるが、これらに限定されない。
【００３３】
さらに、図３〜図５に示すように、第１ハウジング２１０の一体射出成形における脱型を容易にし、射出成形の利便性を向上させるために、第１ハウジング２１０のチューブ１００から離間する端の端面に脱型孔２１６が設けられ、脱型孔２１６にカバー板２４０が着脱可能に覆設される。具体的に、本実施例において、脱型孔２１６は、半円形状を呈し、カバー板２４０は、板体２４１、挿着フランジ２４２、位置制限溝２４３及び係合部２４４を備える。挿着フランジ２４２は、板体２４１の裏面の一方のエッジからチューブ１００に向かって延出するように形成される。位置制限溝２４３は、板体２４１の裏面における挿着フランジ２４２と反対する他方のエッジに形成される。脱型孔２１６の孔壁に、位置制限溝２４３と当接する位置制限ブロック２１９が形成される。係合部２４４は、位置制限溝２４３に、チューブ１００に向かって延出するように設けられる。前記係合部２４４のフックは、脱型孔２１６の孔縁の内側で係合される。これによって、正確且つ利便に、カバー板２４０を第１口金２００に掛け、脱型孔２１６を覆うことができる。
【００３４】
さらに、図３に示すように、本実施例において、第１内腔２１１の内壁に第１位置制限部２１７が設けられ、第２内腔３１１の内壁に第２位置制限部２１８が設けられる。チューブ１００の両端の端面は、それぞれ第１位置制限部２１７及び第２位置制限部２１８と当接する。具体的には、当該第１位置制限部２１７及び第２位置制限部２１８は、いずれも軸方向に沿って延在する位置制限リブであり、取り付ける際にチューブ１００に対する位置制限の役割を果たす。これによって、チューブ１００を挿入しすぎることを防ぐことができ、駆動板２２０と端子台４２０とを正確に接続させることができる。また、第１位置制限部２１７及び第２位置制限部２１８は、位置制限カムなどからなってもよいが、これらに限定されない。実際に組み立てるときに、まずは、光源板４００とチューブ１００とを組み立て、次に、駆動板２２０と光源板４００を接続した後、駆動板２２０を駆動口金内に取り付ける。このとき、駆動板２２０の入力端は、ピン５００と電気的接続される。そして、赤外線感知モジュールを第１口金２００に取付け、レンズ２３２を赤外線感知モジュール２３１の外部に固定し、カバー板２４０を第１口金２００の脱型孔２１６に係合させ、最後に、第２口金３００をチューブ１００に組み立てる。これによって、口金構造全体の簡単且つ利便の組み立てを実現する。
【００３５】
上記は、本出願の好ましい実施例にすぎず、本出願を限定するものではない。本出願の精神及び主旨を逸脱しない限り、行われる如何なる変更、均等置換及び改良等も、本出願の保護範囲内に含まれるべきである。
【符号の説明】
【００３６】
１００  チューブ
２００  第１口金
３００  第２口金
２１０  第１ハウジング
２２０  駆動板
２３０  赤外線感知部材
２１１  第１内腔
３１０  第２ハウジング
３１１  第２内腔
４００  光源板
４１０  光源
５００  ピン
４２０  端子台
２１２  取付溝
２３１  赤外線感知モジュール
２３２  レンズ
２１３  位置制限嵌合溝
２１４  貫通孔
２１５  挿入孔
２３３  挿入ピン
２１６  脱型孔
２４０  カバー板
２４１  板体
２４２  挿着フランジ
２４３  位置制限溝
２４４  係合部
２１７  第１位置制限部
２１８  第２位置制限部
２１９  位置制限ブロック
【図１】
0003231317.tif 000003
【図２】
0003231317.tif 000004
【図３】
0003231317.tif 000005
【図４】
0003231317.tif 000006
【図５】
0003231317.tif 000007